(57)【特許請求の範囲】
【請求項１】
ギア駆動される芝刈機の刈刃軸（１３ａ）をベアリング（２８）を介して軸受体（２１）に回転自在に支持し、該軸受体（２１）をフレーム（７）に固定する構成において、前記フレーム（７）の内側面に軸受体（２１）を接当配置し、該フレーム（７）の外側から、フレーム（７）と軸受体（２１）に嵌装する固定部材（２２）を設け、該固定部材（２２）にインロー部（２２ａ）を構成し、前記軸受体（２１）とフレーム（７）には、該インロー部（２２ａ）が嵌入可能な軸受体嵌入孔（２１ａ）及びフレーム嵌入孔（７ａ）を形成し、該両嵌入孔（７ａ・２１ａ）の内径と、固定部材（２２）のインロー部（２２ａ）の外径とを略同一に形成し、前記フレーム（７）のフレーム嵌入孔（７ａ）の周縁部には、前記刈刃軸（１３ａ）が通過可能な切欠部（７ｂ）を形成し、かつ、該切欠部（７ｂ）以外の円弧角の大きさを１８０°より大きく構成し、前記軸受体（２１）を装着した位置よりも外側の刈刃軸（１３ａ）を、該切欠部（７ｂ）を通過させてフレーム嵌入孔（７ａ）部に嵌装配置し、前記固定部材（２２）のインロー部（２２ａ）を、刈刃軸（１３ａ）に外嵌した状態で、前記フレーム嵌入孔（７ａ）と軸受体嵌入孔（２１ａ）に嵌装し、該フレーム（７）に対する軸受体（２１）の位置決めを行ない、該固定部材（２２）はボルト（３１）により、前記フレーム（７）を介して軸受体（２１）に共締めし、取付固定することを特徴とする芝刈機。
【発明の詳細な説明】
【０００１】
【発明の属する技術分野】
本発明は、ギア駆動される刈刃軸を有する芝刈機における、該刈刃軸の構造に関する。
【０００２】
【従来の技術】
従来、ゴルフ場等で芝刈作業を行う芝刈機においては、刈刃の軸（以降刈刃軸と記載する）の駆動は、チェーンとスプロケットとの組合せや、ベルトとプーリーとの組合せ等により駆動力を伝達して行われていたが、チェーンやベルトが切れたり伸びたりする等、耐久性に問題があったとともに、高速回転時の騒音が大きいという問題があった。これらの問題を解決するために、刈刃軸の駆動をギア駆動に構成して耐久性や低騒音性を向上させた芝刈機が考案されている。
【０００３】
【発明が解決しようとする課題】
前述のギア駆動式の刈刃軸においては、刈刃軸は軸受体を介して本体のフレームに支持されているが、該軸受体のフレームへの取り付けは、フレームを半円状に切り欠いた部分に該軸受体を嵌合させて行っていたため、該フレームに対する軸受体の位置決めを正確に行うことが難しく、刈刃軸に固設されるギアの取付ピッチが不安定となり、適切なバックラッシュを得ることができなかった。
【０００４】
【課題を解決するための手段】
本発明の解決しようとする課題は以上の如くであり、次に該課題を解決するための手段を説明する。
【０００５】
ギア駆動される芝刈機の刈刃軸（１３ａ）をベアリング（２８）を介して軸受体（２１）に回転自在に支持し、該軸受体（２１）をフレーム（７）に固定する構成において、前記フレーム（７）の内側面に軸受体（２１）を接当配置し、該フレーム（７）の外側から、フレーム（７）と軸受体（２１）に嵌装する固定部材（２２）を設け、該固定部材（２２）にインロー部（２２ａ）を構成し、前記軸受体（２１）とフレーム（７）には、該インロー部（２２ａ）が嵌入可能な軸受体嵌入孔（２１ａ）及びフレーム嵌入孔（７ａ）を形成し、該両嵌入孔（７ａ・２１ａ）の内径と、固定部材（２２）のインロー部（２２ａ）の外径とを略同一に形成し、前記フレーム（７）のフレーム嵌入孔（７ａ）の周縁部には、前記刈刃軸（１３ａ）が通過可能な切欠部（７ｂ）を形成し、かつ、該切欠部（７ｂ）以外の円弧角の大きさを１８０°より大きく構成し、前記軸受体（２１）を装着した位置よりも外側の刈刃軸（１３ａ）を、該切欠部（７ｂ）を通過させてフレーム嵌入孔（７ａ）部に嵌装配置し、前記固定部材（２２）のインロー部（２２ａ）を、刈刃軸（１３ａ）に外嵌した状態で、前記フレーム嵌入孔（７ａ）と軸受体嵌入孔（２１ａ）に嵌装し、該フレーム（７）に対する軸受体（２１）の位置決めを行ない、該固定部材（２２）はボルト（３１）により、前記フレーム（７）を介して軸受体（２１）に共締めし、取付固定するものである。
【０００６】
【発明の実施の形態】
次に、本発明の実施の形態を説明する。図１は本発明の刈刃軸構造を有する芝刈機を示す斜視図、図２は刈刃軸のフレームによる支持部を示す正面断面図、図３は同じく側面図、図４は固定部材を示す側面断面図、図５は同じく背面図、図６は刈刃軸の軸受体と下刃の回動支点とが一体的に形成される軸受板を示す側面図、図７はフレームの嵌入孔形成部分を示す側面図である。
【０００７】
本発明の刈刃軸構造を有する芝刈機の全体構成について説明する。図１に示す芝刈機においては、車体１の後部に左右一対の移動用車輪３が取り付けられ、該移動用車輪３は車体１に搭載されるエンジン１１により回転駆動可能とされているとともに、作業場所への移動は該移動用車輪３を使用し、芝刈り作業時には移動用車輪３を取り外して、該移動用車輪３の間に同軸上に設けられている小径の後部ローラ（図示せず）を使用する。車体１の前部には前ローラ５が設けられ、該前ローラ５は左右一対の前ローラ支持部材４により車体１に対して昇降可能に支持されている。
【０００８】
また、車体１には、螺旋状に曲げて形成される刃物を適当枚数組み合わせて構成される刈刃１３が左右に横設され、エンジン１１により該刈刃１３を回転駆動可能としている。該刈刃１３の後述の刈刃軸１３ａは、本体である車体１の左右一側に配置されるフレーム７に、後述する軸受体２１を介して支持されている。さらに、刈刃１３と前ローラ５との間には、多数のサッチング刃３６が左右に並設されている。
【０００９】
車体１の後端部にはハンドル４０が取り付けられており、車体１から後斜上方に延出している。該ハンドル４０の先端部に配置される把持部４０ｂの近傍には、エンジン１１の回転数を調節するアクセルレバー４１、及び移動用車輪３を制動するブレーキ装置を作動させるブレーキレバー４３が取り付けられている。
【００１０】
また、該ハンドル４０の支持部４０ａには、エンジン１１と移動用車輪３を支持する軸との間に介在される走行クラッチのオン・オフ操作を行うための走行クラッチレバー４５、及び、エンジン１１と刈刃１３との間に介在される刈刃クラッチのオン・オフ操作を行うための刈刃クラッチレバー４２が取り付けられている。
【００１１】
このように構成した芝刈機においては、エンジン１１により移動用車輪３と同軸上に設置されている後部ローラを回転駆動して車体１を走行させるとともに、例えば、刈刃１３及びサッチング刃３６を互いに反対方向に回転駆動させて芝刈りを行うようにしている。
【００１２】
この場合、車体１の走行に伴って従動回転する前ローラ５により押え付けられた芝が、該前ローラ５と逆回転するサッチング刃３６によりかき立てられ、このかき立てられた芝が直ちに回転刃１３により切断されて水平刈りが行われる。また、サッチング刃３６により垂直刈りが行われ、長いまま横に寝ている葉や、横に低く生え広がった茎葉を切断するとともに、地表に蓄積されたサツチ（枯れた芝や刈り屑等を主とする有機物残渣）を掻き出す、所謂サッチング作業を行うことが可能である。
【００１３】
次に、刈刃１３の刈刃軸１３ａの支持部の構成について説明する。図２、図３に示すように、刈刃軸１３ａは、その一端部がベアリング２８を介して軸受体２１に回転自在に支持されている。また、刈刃軸１３ａの一端部における、軸受体２１より外側の部分には刈刃駆動ギア２５が一体的に回転可能に固設されており、該刈刃駆動ギア２５にエンジン１１からの駆動力を入力して、刈刃軸１３ａを回転駆動するようにしている。ベアリング２８と刈刃駆動ギア２５との間には、刈刃軸１３ａの抜け止めのために止輪２７を嵌装するとともに、カラー２６を嵌装して刈刃駆動ギア２５の左右位置を一定位置に調節している。
【００１４】
軸受体２１は、ボルト３１によりフレーム７の内側面に取付固定されており、該フレーム７の外側面には、固定部材２２がボルト３１により共締めされて取付固定されている。固定部材２２は、図４、図５に示すように、板状部材の一面側に円筒形状のインロー部２２ａを突出して形成されている。また、軸受体２１及びフレーム７には、それぞれ略同一の内径を有する嵌入孔２１ａ及び嵌入孔７ａが形成されており、該嵌入孔７ａ・２１ａの内径と、固定部材２２のインロー部２２ａの外径とが略同一に形成されている。そして、該フレーム７の嵌入孔７ａ及び軸受体２１の嵌入孔２１ａに、固定部材２２のインロー部２２ａを外側から嵌入している。
【００１５】
即ち、その外径が、嵌入孔７ａ・２１ａの内径と略同一に形成された固定部材２２のインロー部２２ａを、該嵌入孔７ａ・２１ａに外側から嵌入することで、フレーム７に対する軸受体２１の位置決めを行っている。このように、軸受体２１の位置決めを行うことで、軸受体２１をフレーム７に対して精度良く取り付けることができ、刈刃軸１３ａに固設される刈刃駆動ギア２５の取付ピッチを正確に位置出しすることができて、刈刃軸１３ａのギア駆動を円滑に行うことが可能となっている。
【００１６】
また、刈刃１３の下方には下刃１５が設けられ、軸受板２３に回動可能に取り付けられている。該下刃１５は、軸受板２３への取付部である下刃回動支点１５ａを中心に回動可能とされており、該下刃１５が刈刃１３の先端に摺接するように、その回動位置を調節されている。
【００１７】
また、図６に示すように、該軸受板２３には前記軸受体２１が一体的に形成されており、該軸受体２１と下刃回動支点１５ａとは、一体構造に構成されている。このように、軸受体２１と下刃回動支点１５ａとを一体構造とすることで、これらを別体構造とした場合に比べて、刈刃１３の左右幅全域にわたって、該刈刃１３と下刃１５との位置合わせを行い易くしている。
【００１８】
前記フレーム７の嵌入孔７ａが形成される刈刃軸１３ａ支持部分においては、該嵌入孔７ａからフレーム７の下端までを切り欠いた切欠部７ｂが形成されている。該切欠部７ｂの幅ｄは、刈刃軸１３ａが該切欠部７ｂを通過可能な寸法に設定され、前記軸受体２１が取り付けられた状態の刈刃軸１３ａを、切欠部７ｂを通じて嵌入孔７ａに嵌入するようにしている。
【００１９】
即ち、切欠部７ｂを形成することで、前記軸受板２３によって一体構造とされる刈刃１３ａと下刃１５との位置合わせを予め調整した状態で、刈刃軸１３ａをフレーム７の嵌入孔７ａに嵌入させることができ、組立作業が容易になるとともに、刈刃１３ａと下刃１５との位置合わせを簡便且つ精度良く行うことができる。
【００２０】
また、該嵌入孔７ａの内周における切欠部７ｂ以外の円弧角θの大きさを略１８０°より大きくしており、好ましくは略２７０°以上としている。このように、嵌入孔７ａの内周の円弧角θを略１８０°より大きくすることで、該嵌入孔７ａに固定部材２２のインロー部２２ａを嵌入した際に、嵌入孔７ａの内周径と略同一径の該インロー部２２ａを位置ずれなく嵌入孔７ａに嵌入させることができるとともに、該インロー部２２ａの嵌入位置を確実に保持することが可能となる。これにより、刈刃軸１３ａに固設される刈刃駆動ギア２５の取付ピッチを正確に位置出しすることができ、刈刃軸１３ａのギア駆動を円滑に行うことが可能となる。
【００２１】
【発明の効果】
本発明は以上の如く構成したので、次のような効果を奏するのである。
ギア駆動される芝刈機の刈刃軸（１３ａ）をベアリング（２８）を介して軸受体（２１）に回転自在に支持し、該軸受体（２１）をフレーム（７）に固定する構成において、前記フレーム（７）の内側面に軸受体（２１）を接当配置し、該フレーム（７）の外側から、フレーム（７）と軸受体（２１）に嵌装する固定部材（２２）を設け、該固定部材（２２）にインロー部（２２ａ）を構成し、前記軸受体（２１）とフレーム（７）には、該インロー部（２２ａ）が嵌入可能な軸受体嵌入孔（２１ａ）及びフレーム嵌入孔（７ａ）を形成し、該両嵌入孔（７ａ・２１ａ）の内径と、固定部材（２２）のインロー部（２２ａ）の外径とを略同一に形成し、前記フレーム（７）のフレーム嵌入孔（７ａ）の周縁部には、前記刈刃軸（１３ａ）が通過可能な切欠部（７ｂ）を形成し、かつ、該切欠部（７ｂ）以外の円弧角の大きさを１８０°より大きく構成し、前記軸受体（２１）を装着した位置よりも外側の刈刃軸（１３ａ）を、該切欠部（７ｂ）を通過させてフレーム嵌入孔（７ａ）部に嵌装配置し、前記固定部材（２２）のインロー部（２２ａ）を、刈刃軸（１３ａ）に外嵌した状態で、前記フレーム嵌入孔（７ａ）と軸受体嵌入孔（２１ａ）に嵌装し、該フレーム（７）に対する軸受体（２１）の位置決めを行ない、該固定部材（２２）はボルト（３１）により、前記フレーム（７）を介して軸受体（２１）に共締めし、取付固定するので、該軸受体をフレームに対して精度良く取り付けることができ、刈刃軸に固設される刈刃駆動用のギアの取付ピッチを正確に位置出しすることができて、刈刃軸のギア駆動を円滑に行うことが可能となる。
【００２２】
また、前記フレームには、固定部材のインロー部が嵌入される嵌入孔が形成され、該嵌入孔の周縁部には刈刃軸が通過可能な切欠を形成し、かつ、該嵌入孔の内周における切欠部以外の円弧角の大きさを略１８０°より大きくしたので、固定部材のインロー部を位置ずれなくフレームの嵌入孔に嵌入させることができるとともに、該インロー部の嵌入位置を確実に保持することが可能となる。
これにより、刈刃軸に固設される刈刃駆動用ギアの取付ピッチを正確に位置出しすることができ、刈刃軸のギア駆動を円滑に行うことが可能となる。
また、刈刃と下刃とを一体的に構成した場合、該刈刃と下刃との位置合わせを予め調整した状態で、切欠部を通じて、刈刃軸をフレームの嵌入孔に嵌入させることができ、組立作業が容易になるとともに、刈刃と下刃との位置合わせを簡便且つ精度良く行うことができる。
【図面の簡単な説明】
【図１】  本発明の刈刃軸構造を有する芝刈機を示す斜視図である。
【図２】  刈刃軸のフレームによる支持部を示す正面断面図である。
【図３】  同じく側面図である。
【図４】  固定部材を示す側面断面図である。
【図５】  同じく背面図である。
【図６】  刈刃軸の軸受体と下刃の回動支点とが一体的に形成される軸受板を示す側面図である。
【図７】  フレームの嵌入孔形成部分を示す側面図である。
【符号の説明】
１  車体
３  移動用車輪
７  フレーム
７ａ  嵌入孔
７ｂ  切欠部
１３  刈刃
１３ａ  刈刃軸
１５  下刃
２１  軸受体
２２  固定部材
２２ａ  インロー部
【図１】
0003921027.tif 000002
【図２】
0003921027.tif 000003
【図３】
0003921027.tif 000004
【図４】
0003921027.tif 000005
【図５】
0003921027.tif 000006
【図６】
0003921027.tif 000007
【図７】
0003921027.tif 000008